(57)【要約】【課題】この発明の目的は、遺体と容易に対面することができ、末期の水を容易に含ませることができ、また、保冷効果を保つことできるようにするものである。【解決手段】この発明は、遺体を載置する基台を設け、遺体を載置する基台を設け、この基台上に設置されて前記遺体を覆う収容空間を区画する蓋体を設け、この蓋体により区画された前記基台上の収容空間に冷気を放出する冷却器とこの冷却器に冷媒を循環させる冷凍機とを前記基台に内蔵して設け、前記蓋体を遺体の胸部よりも頭部側を覆う頭部側蓋部と胸部よりも脚部側を覆う脚部側蓋部とに分割して設け、前記頭部側蓋部の少なくとも一部を開閉可能に設け、前記収容空間を遺体の胸部よりも頭部側の頭部側収容空間と胸部よりも脚部側の脚部側収容空間とに区画する仕切部材を設けたことを特徴とする。【選択図】図１
2006043245.tif 000002
【特許請求の範囲】
【請求項１】
遺体を載置する基台を設け、この基台上に設置されて前記遺体を覆う収容空間を区画する蓋体を設け、この蓋体により区画された前記基台上の収容空間に冷気を放出する冷却器とこの冷却器に冷媒を循環させる冷凍機とを前記基台に内蔵して設け、前記蓋体を遺体の胸部よりも頭部側を覆う頭部側蓋部と胸部よりも脚部側を覆う脚部側蓋部とに分割して設け、前記頭部側蓋部の少なくとも一部を開閉可能に設け、前記収容空間を遺体の胸部よりも頭部側の頭部側収容空間と胸部よりも脚部側の脚部側収容空間とに区画する仕切部材を設けたことを特徴とする遺体用保冷庫。
【発明の詳細な説明】
【技術分野】
【０００１】
この発明は遺体用保冷庫に係り、特に、遺体と容易に対面することができ、末期の水を容易に含ませることができる遺体用保冷庫に関する。
【背景技術】
【０００２】
従来、夏期のように気温の高い季節に葬儀を行う場合には、故人の遺体を収容した棺桶にドライアイス（登録商標）を収納し、遺体を冷却している。ドライアイスによる冷却は、交換を頻繁に行う必要があるため、管理に手間がかかるという問題があるとともに、極低温であるため、遺体の皮膚を損傷させる問題がある。
【０００３】
このような問題に対しては、棺桶に組み込まれる棺桶冷却装置が提案されている。従来の棺桶冷却装置には、棺桶本体とほぼ同じ長さ及び幅を有し、棺桶本体の上に載置したときに目立たない程度の厚さを有する中空箱体からなる本体パネルを設け、この本体パネルの一方の端部近傍に遺体の顔面を視認可能な透明窓を設けるとともに本体パネルの残部にペルチェ式冷却ユニットを設け、このペルチェ式冷却ユニットに対して電力を供給する電源ユニットを設けたものがある。
【特許文献１】特開２００３−６６０号公報
【発明の開示】
【発明が解決しようとする課題】
【０００４】
ところで、特許文献１に記載される棺桶冷却装置は、ペルチェ式冷却ユニットを内蔵した本体パネルを棺桶本体上に載置し、さらに本体パネル上に蓋が載置される構造である。  
【０００５】
ところが、特許文献１に記載される棺桶冷却装置は、遺体と対面して末期の水を含ませるために、蓋を外した後で、さらに本体パネルを棺桶本体上から下ろす必要があるため、遺体と容易に対面することができず、末期の水を容易に含ませることができない不都合がある。
【０００６】
また、特許文献１に記載される棺桶冷却装置は、遺体と対面して末期の水を含ませる際に本体パネルを棺桶本体上から下ろす必要があることから、棺桶本体が外気に開放されてしまうため、冷気が逃げてしまい、保冷効果を保つことが困難な不都合がある。
【課題を解決するための手段】
【０００７】
この発明は、遺体を載置する基台を設け、遺体を載置する基台を設け、この基台上に設置されて前記遺体を覆う収容空間を区画する蓋体を設け、この蓋体により区画された前記基台上の収容空間に冷気を放出する冷却器とこの冷却器に冷媒を循環させる冷凍機とを前記基台に内蔵して設け、前記蓋体を遺体の胸部よりも頭部側を覆う頭部側蓋部と胸部よりも脚部側を覆う脚部側蓋部とに分割して設け、前記頭部側蓋部の少なくとも一部を開閉可能に設け、前記収容空間を遺体の胸部よりも頭部側の頭部側収容空間と胸部よりも脚部側の脚部側収容空間とに区画する仕切部材を設けたことを特徴とする。
【発明の効果】
【０００８】
この発明の遺体用保冷庫は、冷却器と冷凍機とを内蔵した基台上に載置されて遺体を覆う収容空間を区画する蓋体を設け、この蓋体を遺体の胸部よりも頭部側を覆う頭部側蓋部と胸部よりも脚部側を覆う脚部側蓋部とに分割して設け、頭部側蓋部の少なくとも一部を開閉可能に設けたことにより、冷却器により収容空間に冷気を放出して遺体を冷却することができるとともに、頭部側蓋部の一部を開くことによって遺体と容易に対面することができ、末期の水を容易に含ませることができる。
また、この発明の遺体用保冷庫は、収容空間を遺体の胸部よりも頭部側の頭部側収容空間と胸部よりも脚部側の脚部側収容空間とに区画する仕切部材を設けたことにより、頭部側蓋部を開いた場合にも、脚部側収容空間が大気に開放されることがなく、冷気が逃げることを防止でき、保冷効果を保つことできる。
【発明を実施するための最良の形態】
【０００９】
この発明の遺体用保冷庫は、冷却器と冷凍機とを内蔵した基台上に載置されて遺体を覆う蓋体の頭部側蓋部の少なくとも一部を開閉可能に設けたことにより、冷却器により収容空間に冷気を放出して遺体を冷却することができるとともに、頭部側蓋部の一部を開くことによって遺体と容易に対面することができ、末期の水を容易に含ませることができ、また、収容空間を遺体の頭部側収容空間と脚部側収容空間とに区画する仕切部材を設けたことにより、頭部側蓋部を開いた場合にも、胸部側収容空間が大気に開放されることがなく、冷気が逃げることを防止でき、保冷効果を保つことできる。
以下図面に基づいて、この発明の実施例を説明する。
【実施例】
【００１０】
図１〜図７は、この発明の実施例を示すものである。図１〜図６において、２は遺体、４は遺体を冷却して保存する遺体用保冷庫である。遺体用保冷庫４は、遺体２を載置する基台６と遺体２を覆う蓋体８とを設けている。
【００１１】
基台６は、上板１０と底板１２と左右の側板１４・１６と前後の端板１８・２０とにより長四角中空箱形状に形成され、葬祭具収納庫２０と機器収納庫２２とを設けている。基台６の底板１２には、移動用のキャスター２４を取付けて設けている。キャスター２４は、固定用のアジャスタ２６を備えている。
【００１２】
蓋体８は、断面逆Ｕ字形状の蓋部２８とこの蓋部２８の長手方向両側を塞ぐ壁部３０・３２とにより略蒲鉾形状に形成され、基台６の上板１０上に設置されて遺体２を覆う収容空間３４を区画する。蓋部２８の長手方向一側の壁部３０は、図１・図２に示す如く、基台６の上板１０の長手方向一端に固定して立設され、蓋部２８の一端側において収容空間３４を閉塞する。蓋部２８の長手方向他側の壁部３２は、図１・図４に示す如く、遺体２を収容空間３４に出し入れするために、基台６の上板１０の長手方向他端に下端のヒンジ３６により回動可能に立設され、蓋部２８の他端側において収容空間３４を開閉可能に設けている。
【００１３】
前記基台６の機器収納庫２２には、図１・図２に示す如く、冷却器３８と冷凍機４０とを内蔵して設けている。冷却器３８は、蓋体８により区画された基台６上の収容空間３４に冷気を放出する。冷凍機４０は、収容空間３４を冷却するように冷却器３８に冷媒を循環させる。基台６には、図５に示す如く、上板１０に収容空間３４の空気を吸い込む吸込口４２と冷却した空気を吹き出す吹出口４４とを設け、図４に示す如く、端板２０に電源スイッチ４６を設け、図１に示す如く、底板１２にドレーンを受けるドレーンタンク４８を設けている。
【００１４】
冷却器３８は、上板１０に形成した吸込口４２から吸い込んだ収容空間３４の空気を、冷凍機４０から供給される冷媒により冷却し、上板１０に形成した吹出口４４から収容空間３４に吹き出す。冷凍機４０は、冷却器３８において放冷により昇温して冷媒を回収し、圧縮・冷却した後に再び冷却器３８に供給する。
【００１５】
この遺体用保冷庫４は、蓋体８の蓋部２８を、遺体２の胸部よりも頭部側を覆う頭部側蓋部２８−１と胸部よりも脚部側を覆う脚部側蓋部２８−２とに分割して設けている。蓋体８は、頭部側蓋部２８−１の少なくとも一部を開閉可能に設けている。この実施例の頭部側蓋部２８−１は、図７に示す如く、基台６の幅方向両側に設けたレール５０・５２によって脚部側蓋部２８−２と重なる側に摺動可能に設けることにより、全部を開閉可能に設けている。また、頭部側蓋部２８−１は、透明素材により形成して設けることができる。
【００１６】
また、この遺体用保冷庫４は、仕切部材５４を設けている。仕切部材５４は、柔軟な素材により形成され、脚部側蓋部２８−２の頭部側蓋部２８−１側端に設けられ、収容空間３４を遺体２の胸部よりも頭部側の頭部側収容空間３４−１と胸部よりも脚部側の脚部側収容空間３４−２とに区画する。
【００１７】
次に作用を説明する。
【００１８】
遺体用保冷庫４は、電源スイッチ４６をＯＮすると、冷却器３８と冷凍機４０とが作動する。冷凍機４０は、冷却器３８から放冷により昇温した冷媒を回収し、圧縮して高温高圧になった冷媒を冷却した後に冷却器３８に供給する。冷却器３８は、上板１０に形成した吸込口４２から収容空間３４の空気を吸い込んで冷凍機４０から供給される冷媒により冷却し、この冷却した空気を上板１０に形成した吹出口４４から収容空間３４に吹き出して、遺体２を冷却する。
【００１９】
この遺体用保冷庫４は、蓋体８の蓋部２８を頭部側を覆う頭部側蓋部２８−１と脚部側を覆う脚部側蓋部２８−２とに分割して設け、レール５０・５２によって脚部側蓋部２８−２に重なる側に摺動可能とすることにより、頭部側蓋部２８−１を開閉可能に設けている。
【００２０】
これにより、この遺体用保冷庫４は、冷却器３８により収容空間３４に冷気を放出して遺体２を冷却することができるとともに、頭部側蓋部２８−１を開くことによって頭部側収容空間３４−１を開放して遺体２と容易に対面することができ、末期の水を容易に含ませることができる。
【００２１】
また、この遺体用保冷庫４は、蓋体８により区画される遺体２の収容空間３４を、遺体２の胸部よりも頭部側の頭部側収容空間３４−１と胸部よりも脚部側の脚部側収容空間３４−２とに区画する仕切部材５４を設けたことにより、頭部側蓋部２８−１を開いた場合にも、脚部側収容空間３４−２が大気に開放されることがなく、冷気が逃げることを防止でき、保冷効果を保つことできる。
【００２２】
なお、この発明は、上述実施例に限定されることなく、種々応用改変が可能である。
【００２３】
例えば、図８に示す遺体用保冷庫４の第１の変形例は、基台６の幅方向両側に設けたレール５０・５２によって、頭部側蓋部２８−１を長手方向一側の壁部３０を超えて外側に摺動可能とすることにより、開閉可能に設けたものである。
【００２４】
図９に示す遺体用保冷庫４の第２の変形例は、基台６の幅方向一側に設けたヒンジ５６によって、頭部側蓋部２８−１を幅方向一側の外側に回動可能とすることにより、開閉可能に設けたものである。
【００２５】
図１０に示す遺体用保冷庫４の第３の変形例は、基台６の長手方向一側の壁部３０の下端両側に設けたヒンジ５８によって、頭部側蓋部２８−１を壁部３０を超えて外側に回動可能とすることにより、開閉可能に設けたものである。
【００２６】
図１１に示す遺体用保冷庫４の第４の変形例は、脚部側蓋部２８−２の頭部側蓋部２８−１と接する側の上部に設けたヒンジ６０によって、頭部側蓋部２８−１を脚部側蓋部２８−２の上側に回動可能とすることにより、開閉可能に設けたものである。
【００２７】
図１２に示す遺体用保冷庫４の第５の変形例は、頭部側蓋部２８−１を基台６に対して着脱可能とすることにより、開閉可能に設けたものである。
【００２８】
上述第１〜第５の変形例は、頭部側蓋部２８−１の全部を開閉可能に設けたが、頭部側蓋部２８−１の一部を開閉可能とすることもできる。即ち、図１３〜図１８に示す遺体用保冷庫４は、頭部側蓋部２８−１を幅方向中央において幅方向一側の第１頭部側蓋部２８−１Ａと幅方向他側の第２頭部側蓋部２８−１Ｂとに分割し、第１・第２頭部側蓋部２８−１Ａ・２８−１Ｂの少なくとも一方を開閉可能に設けている。
【００２９】
例えば、図１３に示す遺体用保冷庫４の第６の変形例は、第１頭部側蓋部２８−１Ａを基台の幅方向一側において固定し、第２頭部側蓋部２８−１Ｂを第１頭部側蓋部２８−１Ａと基台６とに夫々設けたレール６２・６４によって、脚部側蓋部２８−２と重なる側に摺動可能とすることにより、開閉可能に設けたものである。
【００３０】
図１４に示す遺体用保冷庫４の第７の変形例は、第１頭部側蓋部２８−１Ａを基台６の幅方向一側において固定し、第２頭部側蓋部２８−１Ｂを第１頭部側蓋部２８−１Ａと基台６とに夫々設けたレール６２・６４によって、壁部３０を超えて外側に摺動可能とすることにより、開閉可能に設けたものである。
【００３１】
図１５に示す遺体用保冷庫４の第８の変形例は、第１頭部側蓋部２８−１Ａを基台６の幅方向一側において固定し、第１頭部側蓋部２８−１Ａの第２頭部側蓋部２８−１Ｂと接する側の上部に設けたヒンジ６６によって、第２頭部側蓋部２８−１Ｂを第１頭部側蓋部２８−１Ａの上側に回動可能とすることにより、開閉可能に設けたものである。
【００３２】
図１６に示す遺体用保冷庫４の第９の変形例は、第１頭部側蓋部２８−１Ａを基台６の幅方向一側において固定し、脚部側蓋部２８−２の第２頭部側蓋部２８−１Ｂと接する側の上部に設けたヒンジ６８によって、第２頭部側蓋部２８−１Ｂを脚部側蓋部２８−２の上側に回動可能とすることにより、開閉可能に設けたものである。
【００３３】
図１７に示す遺体用保冷庫４の第１０の変形例は、第１頭部側蓋部２８−１Ａを基台の幅方向一側において固定し、第２頭部側蓋部２８−１Ｂを第１頭部側蓋部２８−１Ａ及び基台６に対して着脱可能とすることにより、開閉可能に設けたものである。
【００３４】
図１８に示す遺体用保冷庫４の第１１の変形例は、第１頭部側蓋部２８−１Ａを基台６の幅方向一側に設けたヒンジ７０によって外側に回動可能とするとともに、第２頭部側蓋部２８−１Ｂを基台６の幅方向他側に設けたヒンジ７２によって外側に回動可能とすることにより、開閉可能に設けたものである。
【００３５】
また、上述実施例及び各変形例においては、頭部側蓋部２８−１の全部若しくは一部を開閉可能に設けたが、蓋体８を構成する頭部側蓋部２８−１側の壁部３０を開閉可能に設けることもできる。
【００３６】
例えば、図１９に示す遺体用保冷庫４の第１２の変形例は、基台６の長手方向一側に設けたヒンジ７４によって、壁部３０を外側に回動可能とすることにより、開閉可能に設けたものである。
【００３７】
図２０に示す遺体用保冷庫４の第１３の変形例は、基台６の長手方向一側における頭部側蓋部２８−１の幅方向一側に設けたヒンジ７６によって、壁部３０を外側に回動可能とすることにより、開閉可能に設けたものである。
【００３８】
さらに、上述実施例及び各変形例においては、頭部側蓋部２８−１の全部若しくは一部を摺動可能・回動可能とすることによって開閉可能に設けたが、蓋体８を構成する頭部側蓋部２８−１を回転させることによって開閉可能に設けることもできる。
【００３９】
図２１に示す遺体用保冷庫４の第１４の変形例は、蓋体８を断面筒形状の蓋部２８と円板形状の壁部３０・３２とにより略円筒形状に形成するとともに蓋部２８を頭部側蓋部２８−１と脚部側蓋部２８−２とに分割し、頭部側蓋部２８−１を透明素材により形成して設けるとともに、脚部側蓋部２８−２と壁部３０との各縁部円周方向に設けたレール７８・８０によって頭部側蓋部２８−１を円周方向に回転可能に設けることにより、開閉可能に設けたものである。
【００４０】
なお、この遺体用保冷庫４は、蓋体８の蓋部２８を蒲鉾形状や円筒形状に形成したが、三角形状や四角形状等の多角形状に形成することもでき、頭部側蓋部２８−１を透明素材により形成したが、全部を透明素材により形成することもできる。また、この遺体用保冷庫４は、人体だけでなく、ペットなどの動物にも使用することができる。さらに、この遺体用保冷庫４は、一体式だけでなく、基台６や蓋体８、冷却器３８、冷凍機４０等の単品制作、組み立てによる製品状態とすることができる。
【００４１】
例えば、図２２に示す遺体用保冷庫４の第１５の変形例は、基台６を冷却器３８及び冷凍機４０（図示せず）を内蔵した冷蔵ユニット部６−１と空気の吸込口４２及び吹出口４４を設けた冷蔵ボックス部６−２とに分割して単品製作し、冷蔵ユニット部６−１に冷気の吸込ダクト６−１ｉ及び吹出ダクト６−１ｅを設けるとともに冷蔵ボックス部６−２に吸込ダクト６−１ｉ及び吹出ダクト６−１ｅが嵌合される吸込ダクト嵌合孔６−２ｉ及び吹出ダクト嵌合孔６−２ｅを設け、蓋体８の蓋部２８を開閉可能な頭部側蓋部２８−１と冷蔵ボックス部６−２に設置される脚部側蓋部２８−２とに分割して単品製作したものである。
【００４２】
また、図２３に示す遺体用保冷庫４の第１６の変形例は、基台６を長四角中空箱形状に単品制作し、蓋体８の蓋部２８を開閉可能な頭部側蓋部２８−１と基台６に設置される脚部側蓋部２８−２と冷却器３８及び冷凍機４０（図示せず）を内蔵した冷蔵ユニット部２８−３とに分割して単品製作し、冷蔵ユニット部２８−３に冷気の吸込ダクト２８−３ｉ及び吹出ダクト２８−３ｅを設けるとともに脚部側蓋部２８−２に吸込ダクト２８−３ｉ及び吹出ダクト２８−３ｅが嵌合される吸込ダクト嵌合孔２８−２ｉ及び吹出ダクト嵌合孔２８−２ｅを設けたものである。
【００４３】
このように、遺体用保冷庫４は、各部を分割して単品製作することにより、分解組み立て可能とすることができ、分解することにより重量を分散して移動を容易にすることができ、この結果、移動用のキャスター２４を不要にすることができる。
【産業上の利用可能性】
【００４４】
この発明の遺体用保冷庫は、冷却器により遺体を冷却することができるとともに、遺体と容易に対面することができ、また、頭部側蓋部を開いた場合にも、冷気が逃げることを防止でき、保冷効果を保つことできるものであり、遺体以外の物体においても冷却保存することができる。また、冷凍機の能力に応じて、遺体等を冷凍することも可能である。
【図面の簡単な説明】
【００４５】
【図１】実施例を示す遺体用保冷庫の正面図である。
【図２】遺体用保冷庫の平面図である。
【図３】遺体用保冷庫の右側面図である。
【図４】遺体用保冷庫の左側面図である。
【図５】図１のＶ−Ｖ線による断面図である。
【図６】図１のＶＩ−ＶＩ線による断面図である。
【図７】遺体用保冷庫の斜視図である。
【図８】遺体用保冷庫の第１の変形例を示す斜視図である。
【図９】遺体用保冷庫の第２の変形例を示す斜視図である。
【図１０】遺体用保冷庫の第３の変形例を示す斜視図である。
【図１１】遺体用保冷庫の第４の変形例を示す斜視図である。
【図１２】遺体用保冷庫の第５の変形例を示す斜視図である。
【図１３】遺体用保冷庫の第６の変形例を示す斜視図である。
【図１４】遺体用保冷庫の第７の変形例を示す斜視図である。
【図１５】遺体用保冷庫の第８の変形例を示す斜視図である。
【図１６】遺体用保冷庫の第９の変形例を示す斜視図である。
【図１７】遺体用保冷庫の第１０の変形例を示す斜視図である。
【図１８】遺体用保冷庫の第１１の変形例を示す斜視図である。
【図１９】遺体用保冷庫の第１２の変形例を示す斜視図である。
【図２０】遺体用保冷庫の第１３の変形例を示す斜視図である。
【図２１】遺体用保冷庫の第１４の変形例を示す斜視図である。
【図２２】遺体用保冷庫の第１５の変形例を示す斜視図である。
【図２３】遺体用保冷庫の第１６の変形例を示す斜視図である。
【符号の説明】
【００４６】
２  遺体
４  遺体用保冷庫
６  基台
８  蓋体
２８  蓋部
３４  収容空間
３８  冷却器
４０  冷凍機
５０・５２  レール
５４  仕切部材
【図１】
2006043245.tif 000003
【図２】
2006043245.tif 000004
【図３】
2006043245.tif 000005
【図４】
2006043245.tif 000006
【図５】
2006043245.tif 000007
【図６】
2006043245.tif 000008
【図７】
2006043245.tif 000009
【図８】
2006043245.tif 000010
【図９】
2006043245.tif 000011
【図１０】
2006043245.tif 000012
【図１１】
2006043245.tif 000013
【図１２】
2006043245.tif 000014
【図１３】
2006043245.tif 000015
【図１４】
2006043245.tif 000016
【図１５】
2006043245.tif 000017
【図１６】
2006043245.tif 000018
【図１７】
2006043245.tif 000019
【図１８】
2006043245.tif 000020
【図１９】
2006043245.tif 000021
【図２０】
2006043245.tif 000022
【図２１】
2006043245.tif 000023
【図２２】
2006043245.tif 000024
【図２３】
2006043245.tif 000025